(57)【要約】【課題】雨水の貯溜と流出抑制が可能で、雨水の有効利用ができると共に下水道施設や河川への負荷を低減する雨水貯溜及び流出抑制のためのタンクを提供する。【解決手段】雨水をタンクＴ内部に導入するための流入口１ａが形成されていると共に、貯溜した雨水の一部を排出するための排水部２，３がタンク内部からタンク外部にかけて配設されたタンクＴであって、タンクＴ内部の排水部２が、下方から上方向へ立ち上がるように配設されており、そのタンクＴ内部に配設された排水部２に、流入口１ａの開口面積より小さい面積である孔２ａを形成して、その孔２ａを境目にして上側部分を雨水を一時的に貯溜する雨水一時貯溜空間１Ｂとし、下側部分を有効利用のための雨水を貯溜する雨水貯溜空間１Ａとし、その孔２ａが、雨水一時貯溜空間１Ｂに貯溜した雨水をタンクＴ内部に配設された排水部２に流入させてタンクＴ外部に排出するための孔２ａである構成とする。【選択図】図１
2010156164.tif 000002
【特許請求の範囲】
【請求項１】
雨水をタンク内部に導入するための流入口が形成されていると共に、貯溜した雨水の一部を排出するための排水部がタンク内部からタンク外部にかけて配設されたタンクであって、
タンク内部の排水部が、下方から上方向へ立ち上がるように配設されており、
そのタンク内部に配設された排水部に、流入口の開口面積より小さい面積である孔を形成して、その孔を境目にして上側部分を雨水を一時的に貯溜する雨水一時貯溜空間とし、下側部分を有効利用のための雨水を貯溜する雨水貯溜空間とし、その孔が、雨水一時貯溜空間に貯溜した雨水をタンク内部に配設された排水部に流入させてタンク外部に排出するための孔であることを特徴とする雨水貯溜及び流出抑制のためのタンク。
【請求項２】
タンク内部に配設された排水部の側面に、前記孔を形成したことを特徴とする請求項１に記載の雨水貯溜及び流出抑制のためのタンク。
【請求項３】
タンク内部に配設された排水部の上下方向及び／又は水平方向に、前記孔を複数形成したことを特徴とする請求項１又は請求項２に記載の雨水貯溜及び流出抑制のためのタンク。
【請求項４】
タンク内部に配設された排水部を、タンク外部に配設された排水部から取り外しできるようにしたことを特徴とする請求項１ないし請求項３のいずれかに記載の雨水貯溜及び流出抑制のためのタンク。
【請求項５】
前記孔よりも上方の排水部に、前記孔よりも開口面積が大きいオーバーフロー口を設けると共に、排水部の横断面積を前記孔の開口面積よりも大きくしたことを特徴とする請求項１ないし請求項４のいずれかに記載の雨水貯溜及び流出抑制のためのタンク。
【請求項６】
タンクの天面に開口部を設けると共にタンクの天面を蓋体で覆い、タンクの天面、又は、蓋体の内側に排水部を保持する保持部を設けたことを特徴とする請求項１ないし請求項５のいずれかに記載の雨水貯溜及び流出抑制のためのタンク。
【発明の詳細な説明】
【技術分野】
【０００１】
本発明は、主に宅地内に設置されて、家屋の堅樋からの雨水を貯溜して有効利用すると共に、下水道施設や河川への負荷を低減することのできる雨水貯溜及び流出抑制のためのタンクに関するものである。
【背景技術】
【０００２】
未舗装の道路や空き地が殆どない都市化の進んだ地域では、家屋、駐車場、道路などに降った雨水が地中に浸透することなく、道路の側溝などを通じて河川へ流れ込むため、短時間で河川の容量を超えて所謂、都市型洪水を引き起こす恐れがある。一方、乾期にはダムや湖の水位が低下して水不足となるため、各地で水道水の給水制限が実施され、庭の植物に充分量の水を与えることも難しくなっている。
【０００３】
このような事情から、住宅の屋根に降った雨水を貯溜する貯溜槽と、下水道施設や河川への負荷を低減するためのオリフィスを備えた流出抑制槽からなる住宅用雨水貯溜及び流出抑制装置が提案された（特許文献１）。
【０００４】
上記装置は、住宅の屋根に降った雨水が堅樋を通って貯溜槽に流入し、その貯溜槽が満水になると雨水は流出抑制槽へと流入する。流出抑制槽にはオリフィスが設けられているので、雨水はそのオリフィスから徐々に排出されて、貯溜槽からの流入がなくなると、流出抑制槽の貯溜された雨水は時間と共に全て排出される。これにより、貯溜槽に貯溜された雨水を有効利用できるようになると共に、次回降雨時には流出抑制槽が空水状態となるため、雨水の流出抑制が可能となり、下水道施設や河川への負荷を低減することができる。
【特許文献１】特開２０００−７３４１７号公報
【発明の開示】
【発明が解決しようとする課題】
【０００５】
しかしながら、上記装置は、貯溜槽と流出抑制槽を別途設ける必要があるため、費用が嵩むと共に施工が大がかりなものとなり、また、その構造上、貯溜槽と流出抑制槽を併設しなければならないために、装置が大型なものとなり、ある程度の設置スペースが必要となるばかりか、住宅の美観を損なう恐れが生じるという問題があった。更に、雨水の流出を抑制するオリフィスは、流出抑制槽の下部に形成されている（図２参照）ので、オリフィスが詰まったりしたときのメンテナンス性が悪く、清掃時には貯溜槽と流出抑制槽の２つを清掃しなければならないため、装置の維持管理が面倒であるという問題もあった。
【０００６】
本発明は上記の問題に鑑みてなされたもので、その解決しようとする課題は、１つのタンクで雨水の貯溜と流出抑制が可能で、タンク内部及び雨水の流出を抑制する孔のメンテナンス性にも優れ、家屋に降った雨水の有効利用ができると共に、下水道施設や河川への負荷を低減することのできる雨水貯溜及び流出抑制のためのタンクを提供することにある。
【課題を解決するための手段】
【０００７】
上記目的を達成するため、本発明に係る雨水貯溜及び流出抑制のためのタンクは、雨水をタンク内部に導入するための流入口が形成されていると共に、貯溜した雨水の一部を排出するための排水部がタンク内部からタンク外部にかけて配設されたタンクであって、タンク内部の排水部が、下方から上方向へ立ち上がるように配設されており、そのタンク内部に配設された排水部に、流入口の開口面積より小さい面積である孔を形成して、その孔を境目にして上側部分を雨水を一時的に貯溜する雨水一時貯溜空間とし、下側部分を有効利用のための雨水を貯溜する雨水貯溜空間とし、その孔が、雨水一時貯溜空間に貯溜した雨水をタンク内部に配設された排水部に流入させてタンク外部に排出するための孔であることを特徴とするものである。
【０００８】
本発明の雨水貯溜及び流出抑制のためのタンクにおいては、タンク内部に配設された排水部の側面に、前記孔を形成したことが好ましく、タンク内部に配設された排水部の上下方向及び／又は水平方向に、前記孔を複数形成すればより好ましい。また、上記いずれかの雨水貯溜及び流出抑制のためのタンクにおいては、タンク内部に配設された排水部を、タンク外部に配設された排水部から取り外しできるようにしたことが好ましく、前記孔よりも上方の排水部に、前記孔よりも開口面積が大きいオーバーフロー口を設けると共に、排水部の横断面積を前記孔の開口面積よりも大きくしたことがより好ましい。また、タンクの天面に開口部を設けると共にタンクの天面を蓋体で覆い、タンクの天面、又は、蓋体の内側に排水部を保持する保持部を設けることも好ましい。
【発明の効果】
【０００９】
本発明の雨水貯溜及び流出抑制のためのタンクは、タンク内部に配設された雨水を排出するための排水部に、タンク内部に雨水を導入する流入口の開口面積より小さい面積の孔が形成されているので、その孔の位置より上側まで雨水がタンク内部に流入すると、孔より上側部分の雨水は徐々に排水部に流入し、タンク外部へと排出されることになるが、この孔は、流入口の開口面積よりも小さくなるように形成されているので、雨水のタンク内部への流入量よりもタンク外部への排出量が上回ることはなく、ある一定以上の雨量であればタンク内部への流入量よりもタンク外部への排出量が下回り、孔の位置を超えて孔よりも上側部分の雨水を一時的に貯溜する雨水一時貯溜空間がいっぱいになって雨水が一時的に貯溜されることとなる。一方、雨がやむとタンク内部に流入する雨水はなくなり、雨水一時貯溜空間に貯溜された雨水は孔から排水部に流入してタンク外部へ徐々に排出されるだけになるので、やがて雨水一時貯溜空間は空水となり、次回の降雨に備えることができる。つまり、孔よりも上側部分は、雨がやんでいる間に空水となり、次回の降雨がある一定以上の雨量のときに雨水を一時的に貯溜するための雨水一時貯溜空間となり、豪雨時でも雨水が下水道施設や河川へ一気に流出することを抑制できるので下水道施設や河川への負荷を低減できる。ここで、ある一定の雨量とは流入口からタンク内部に流入する雨水の流入量と孔から排水部に流入してタンク外部へ排出される雨水の排出量がつり合うときの雨量を意味する。また、タンク内部の孔より下側部分の有効利用のための雨水を貯溜する雨水貯溜空間には、雨水がタンク外部に排出されずに貯溜されたままになっているので、その雨水を植物の水やりや洗車等に有効利用することができる。このように本発明の雨水貯溜及び流出抑制のためのタンクは、１つのタンクにおいて、孔よりも上側部分が流出抑制のための雨水一時貯溜空間となり、孔よりも下側部分が有効利用のため雨水貯溜空間となるので、孔を形成する箇所を任意に変更することで、タンク内部の有効利用のための雨水貯溜量を増やしたり、或いは、雨水の流出をより抑えて下水道施設や河川への負荷低減を優先したりすることができるようになる。すなわち、雨水一時貯溜空間と雨水貯溜空間との体積比率を変更できるものである。しかも、上記のように、１つのタンクで雨水の貯溜と流出抑制が可能となるばかりか、排水部として通常の塩化ビニル樹脂製のパイプなどを用いることができ、また、タンクとして既存の雨水貯溜タンクを用いることができるので、上記特許文献１の住宅用雨水貯溜及び流出抑制装置のように、貯溜槽と流出抑制槽を別途設ける必要がないため、施工費用を抑え、省スペースで設置することができて住宅の美観を損なう恐れはない。しかも、清掃時は１つのタンクだけですみ、排水部に形成した孔のメンテナンスも簡単に行うことができるため、タンクの維持管理が容易である。
【００１０】
また、タンク内部に配設された排水部の側面に、前記孔を形成した雨水貯溜及び流出抑制のためのタンクは、孔を排水部の側面に形成することで、排水部の立ち上がり寸法を一定にしたまま、孔を形成する箇所を上下方向に変更すると、雨水一時貯溜空間と雨水貯溜空間との体積比率を変更することができる。
【００１１】
特に、タンク内部に配設された排水部の上下方向及び／又は水平方向に、前記孔を複数形成した雨水貯溜及び流出抑制のためのタンクのように、予め複数の孔を形成することで、雨量の少ない時期などは下方の孔を止水し、雨量の多い時期は上方の孔を止水するなどして、簡単に雨水一時貯溜空間と雨水貯溜空間との体積比率を変更することができる。
【００１２】
また、タンク内部に配設された排水部を、タンク外部に配設された排水部から取り外しできるようにすると、排水部をタンク内部から取出すことができるので、排水部に形成した孔のメンテナンスが容易となる。また、タンク内部に配設された排水部が取り除かれた状態で、タンク内のメンテナンスが行えるので、タンクの維持管理がより容易となる。更に、孔の位置が異なる排水部に取り替えることも可能となり、簡単に雨水一時貯溜空間と雨水貯溜空間との体積比率を変更することもできる。
【００１３】
上記のように、本発明の雨水貯溜及び流出抑制のためのタンクは、雨水を徐々に排出するための孔が形成されたものではあるが、孔の開口面積が小さいため、雨水の排出量は少なく、台風などの集中豪雨では、タンクから雨水が溢れてしまうことがある。そこで、前記孔よりも上方の排水部に、前記孔よりも開口面積の大きいオーバーフロー口を設けると共に、排水部の横断面積を前記孔の開口面積よりも大きくした雨水貯溜及び流出抑制のためのタンクのように、オーバーフロー口を予め設けることで、タンクから雨水がオーバーフローしてしまうのを防止することができる。また、オーバーフロー口は前記孔よりも開口面積が大きいので前記孔から排水部へ流入できなかった雨水も前記孔よりも上方の排水部に形成したオーバーフロー口から排水部へスムーズに流入する。この排水部の横断面積は前記孔よりも大きいのでオーバーフロー口から排水部へ流入した雨水が排水部をスムーズに流下することができる。
【００１４】
また、タンクの天面に開口部を設けると共にタンクの天面を蓋体で覆い、タンクの天面、又は、蓋体の内側に排水部を保持する保持部を設けた雨水貯溜及び流出抑制のためのタンクのように、タンクの天面、又は、蓋体の内側に保持部を設けることで、排水部を簡単且つ確実に固定することができるようになる。また、開口部を設けることで、その開口部から排水部に形成した孔やタンク内部のメンテナンスを行うことができるので、タンクの維持管理が更に容易となる。
【発明を実施するための最良の形態】
【００１５】
以下、図面を参照して本発明の具体的な実施形態を詳述する。
【００１６】
図１は本発明の一実施形態に係る雨水貯溜及び流出抑制のためのタンクの分解斜視図、図２は同タンクの断面図、図３は同タンクを設置した状態を示す概略正面図、図４は同タンクの構成部材である排水部の接続状態を示す部分断面図、図５は同タンクの排水部を示す概略斜視図である。
【００１７】
本発明の雨水貯溜及び流出抑制のためのタンクＴ（以下、単にタンクＴという。）は、図１に示すように、タンク本体１と、タンク本体１の内部に配設された排水部２（以下、単に排水部２という。）と、タンク本体１の外部へと配設された排水部３と、タンク本体１の天面を覆う蓋体４と、タンク本体１を載置する基台部５から構成されたもので、家屋の屋根（不図示）に降った雨水をタンクＴの内部に貯溜して植物の水やりや洗車等に有効利用できるようにすると共に、タンク本体１の内部に雨水を一時的に貯溜できるようにして、雨水が雨水排水本管１１へ一気に流出するのを抑制し、下水道施設や河川への負荷を低減するために設置されるものである。
【００１８】
上記タンクＴの構成部材であるタンク本体１は、内部に流入した雨水を貯溜するための筐体で、図１、図３に示すように、外面はレンガ調に飾りつけられて、家屋の外観と調和するように形成されている。そして、図２に示すように、その左右側面の上部には、雨水をタンク本体１の内部に導入するための流入口１ａがそれぞれ形成されている。この流入口１ａは、充分量の雨水をタンク本体１の内部に導入できるように、直径ｄ１が１０〜６０ｍｍ程度、開口面積が０．７〜３０ｃｍ２程度に形成されている。
【００１９】
上記流入口１ａは、図２、図３に示すように、タンクＴの右側に堅樋８が位置する場合（本実施形態）でも、タンクＴの左側に堅樋８が位置する場合でも、導入管９の煩雑な取り回しをしなくても接続できるように、左右の側面にそれぞれ形成されている。このように左右の側面の２ヶ所に設けると、施工性が向上するほか、導入管９を接続していない流入口１ａを止水していない場合には、後述する排水部２に形成されたオーバーフロー口２ｂを通過し得る雨水の量を超えた場合の最終的なオーバーフロー口としての役割も果たす。また、後述する実施例とは異なり、排水部２にオーバーフロー口を形成せず、導入管９を接続していない流入口１ａを止水した状態のタンクＴである場合には、導入管９を接続した流入口１ａが、オーバーフロー口としての機能を兼ねる。すなわち、タンクＴが満水となり雨水が導入管９を接続した流入口１ａの高さまで達したときには続いて導入管９が満管となり、雨水が導入管９へ流入することなく竪樋８を流下して雨水排水本管１１へ排出されることとなる。
【００２０】
上記タンク本体１の天面には、図１、図２に示すように、後述する排水部２を保持する保持孔（保持部）１ｂが形成されている。この保持孔１ｂに排水部２の上部を挿通することで、排水部２の左右方向のズレが防止されて、簡単且つ確実に排水部２をタンク本体１の内部に配設することができるようになる。また、この保持孔１ｂを挟んで両側は開口されて、清掃時やメンテナンス時に利用する開口部１ｃが形成されている。この開口部１ｃは、上記のようにタンクＴの清掃時やメンテナンス時に利用するために形成されたものであるので、少なくとも手がタンク本体１の内部に挿入できる程度の大きさに形成する必要があり、２本の手を使って作業ができるように、開口部１ｃは１つではなく２つ形成されている。ここで保持部１ｂは上記のような形態には限定されず、例えば排水部２をタンク本体１の側壁内面に沿って配設した場合には、排水部２を側壁内面に固定できるような固定具、例えば鞍型のバンド（サドルバンド）を用いて排水部を保持し固定してもよい。このような保持部１ｂの場合でも保持部１ｂを開口部１ｃに近い箇所に形成すると開口部１ｃから手を挿入して容易に固定作業が可能となるので好ましい。
【００２１】
また、上記タンク本体１の底部には、図２、図４に示すように、タンク本体１の内部に配設された排水部２と、タンク本体１の外部に配設された排水部３とを接続するための接続口１ｄが形成されている。この接続口１ｄは、後述する基台部５の挿通孔５ａに挿通するように下方へ突出するように形成されており、その内周面には、接続部材６（例えばバルブソケット）の外周面に形成された雄ネジ６ｂと係合する雌ネジ１ｆが形成されている。外部へと配設された排水部３は、その外周面が接続口１ｄの内周面と接するように差し込んで接続され、接着剤などで固定されているものであるが、接続口１ｄの外周面に雄ネジを形成して前述した排水部２のように接続部材（例えば水栓ソケット）を介してネジの係合により接続するようにしてもよい。
【００２２】
更に、上記タンク本体１の前面には、タンク本体１の内部に貯溜した雨水を取水するための蛇口１ｅが設けられている。この蛇口１ｅを捻ると雨水が排出されるので、蛇口１ｅにホースを接続したりして、タンクＴに貯溜された雨水を植物の水やりや洗車等、様々な用途に有効利用することができるようになり、水道料金や下水道料金を節約することができる。
【００２３】
次に、上記タンク本体１の内部に配設される排水部２は、図２、図５に示すように、直径ｄ３が１０〜６０ｍｍ、開口面積が０．７〜３０ｃｍ２程度の塩化ビニル樹脂製のパイプで、タンク本体１内部の底部に形成された接続口１ｄから上方向へ立ち上がるように配設されている。この排水部２は、タンク本体１の内部に貯溜した雨水を外部に排出するために設けられたもので、その側面（周面）には、タンク本体１に貯溜された雨水を徐々にタンクＴの外部に排出するための孔２ａと、タンクＴから雨水が溢れだすのを防止するオーバーフロー口２ｂが形成されている。このように塩化ビニル樹脂製のパイプで排水部２を形成すると上端面が開口しているため、上部から排水部２のメンテナンスが可能となり、更に管路状の排水部２（排水管路）となるためタンク本体１内部の空間を有効に使用することができるので好ましい。ここで、排水部２（排水管路）の断面形状は前述した実施例のように円形に限定されず方形など適宜選択してよい。また、タンク本体１の内壁に排水部２を一体成形することも可能であるがその場合は排水部２をタンク本体１内部から取出すことができなくなり、メンテナンス性が低下するためあまり好ましくない。
【００２４】
タンク本体１内部において、上記排水部２の側面に形成された孔２ａの上側部分は雨水の流出を抑制するために雨水を一時的に貯溜する雨水一時貯溜空間１Ｂとなり、孔２ａの下側部分は有効利用のための雨水を貯溜する雨水貯溜空間１Ａとなる。このとき、上記タンク本体１の流入口１ａからの流入量よりも孔２ａからの排出量が上回ってしまっては雨水一時貯溜空間１Ｂに雨水が一時的にも貯溜されることなく排出されてしまうため雨水の流出が抑制されずに形成しても意味をなさない。従って、孔２ａの開口面積を、前述した流入口１ａの開口面積よりも小さく形成する必要があり、この孔２ａの開口面積を流入口１ａの開口面積の１〜８５％程度に形成すると、雨水の流出抑制と排出のバランスが優れたものとなる。そのため、図５に示すように、直径ｄ２が２〜５５ｍｍ、開口面積が０．０３〜２５ｃｍ２程度となるように形成されている。
【００２５】
雨水を外部に排出するために設けられた排水部２の側面に、上記のような孔２ａを形成したことで、タンク本体１の内部に、孔２ａより上側まで雨水が流入すると、孔２ａより上側部分の雨水は徐々に排水部２に流入し、タンクＴの外部へと配設された排水部３からタンクＴの外部に排出されるが、孔２ａの開口面積が、流入口１ａの開口面積よりも小さく形成されているので、雨水の排出量が流入量よりも上回ることはなく、孔２ａより上側部分の雨水一時貯溜空間１Ｂに雨水が徐々に溜まり始めて一時的に貯溜されるので、雨水一時貯溜空間１Ｂの体積分の雨水は豪雨時でも一気に排出されることなく、下水道施設や河川への負荷を低減することができる。
【００２６】
一方、雨がやんで雨水の流入がストップすると、雨水一時貯溜空間１Ｂに一時貯溜された雨水は孔２ａを経て徐々にタンクＴの外部に排出されて、やがて雨水一時貯溜空間１Ｂは空水となるため、次回の降雨に備えることができる。このように、排水部２に形成した孔２ａを境目に、上側部分は雨水の流出を抑制するために雨水を一時的に貯溜する雨水一時貯溜空間１Ｂとなり、下側部分は有効利用のための雨水を貯溜する雨水貯溜空間１Ａとなるので、孔２ａの形成する箇所を任意に変更することで、タンクＴの有効利用のための雨水貯溜量を増やしたり、或いは、流出抑制の効果をより強めて、下水道施設や河川への負荷の低減を優先したりすることができるようになる。例えば、本発明のタンクＴを、雨水の流出抑制のためだけに用いたい場合は、タンク本体１の底部に近い場所に孔２ａを形成すればよいし、有効利用と流出抑制の効果を１：１にしたい場合は、孔２ａをタンク本体１内部の半分の高さに位置するように形成すればよい。
【００２７】
上記のように、孔２ａの形成位置をその時々で変更するのが面倒な場合には、図７に示すような排水部２１を用いればよい。この排水部２１はその側面（周面）に、上下方向に並んで複数の孔２ａが形成されたもので、１つの孔２ａを残して、その他の孔２ａは止水栓２ｃで塞がれている。このような排水部２１をタンク本体１の内部に配設すると、止水栓２ｃの取付け箇所を変更するだけで、簡単に雨水貯溜空間１Ａと雨水一時貯溜空間１Ｂの境目の高さ（１Ａと１Ｂとの空間の体積比率）を変更することができるので、乾期には境目の高さを引き上げて雨水貯溜空間１Ａの容量を増やしたり、台風などの前には、境目の高さを引き下げて流出抑制の効果を強めたりすることなどが簡単にできるようになる。上記実施例では１つの孔２ａを残して、その他の孔２ａを止水栓２ｃで塞いでいるが、複数の孔２ａを残して、その他の孔２ａを止水栓２ｃで塞いでもよい。この場合、止水栓２ｃで塞がない複数の孔２ａの開口面積の合計が流入口１ａの開口面積よりも小さければ、排水量が流入量を上回ることがないため雨水一時貯溜空間１Ｂに雨水を一時的に貯溜することができ、止水栓２ｃで塞がない最も下方に位置する孔２ａが雨水貯溜空間１Ａと雨水一時貯溜空間１Ｂとの境目となる。複数の孔２ａを止水栓２ｃで塞がずに残すと、仮に１つの孔２ａが異物などによって目詰まりしたときでも止水栓２ｃで塞がない残りの孔２ａのうち最も下方に位置する孔２ａが雨水貯溜空間１Ａと雨水一時貯溜空間１Ｂとの境目の役割を果たすので好ましい。また図示はしないが、排水部２１の同じ高さに複数の孔２ａを形成してもよく、この場合も前述と同様に１つの孔２ａを残して、その他の孔２ａを止水栓２ｃで塞いでもよいし、複数の孔２ａを残して、その他の孔２ａを止水栓２ｃで塞いでもよい。複数の孔２ａを止水栓２ｃで塞がずに残した場合、１つの孔２ａが異物によって目詰まりしたときでもその孔２ａの代わりに雨水貯溜空間１Ａと雨水一時貯溜空間１Ｂとの境目の役割を果たす止水栓２ｃで塞がない残りの孔２ａが目詰まりした孔２ａと同じ高さにあるため、雨水貯溜空間１Ａと雨水一時貯溜空間１Ｂとの境目の高さが目詰まりする前後で変化せずに好ましい。
尚、孔２ａの止水は、排水部２１に雨水が流入することを防止できれば、止水栓２ｃを用いない他の止水方法により止水してもよいことは言うまでもない。
【００２８】
上記の孔２ａは、雨水の流入量より排出量が上回ることがないようにその開口面積を小さく形成しているので、台風などの集中豪雨で雨水の流入量が非常に多い場合には、雨水一時貯溜空間１Ｂにも雨水がどんどん溜まっていき、やがてタンクＴから雨水が溢れだしてしまう恐れが生じる。そのような場合を想定して、排水部２の側面には、図２、図５に示すように、タンクＴから雨水が溢れだすのを防止するためのオーバーフロー口２ｂが設けられており、排水部２がオーバーフローした雨水を排水する役割を兼ねることになるため、別途オーバーフロー用の配管を配設する必要がなくなる。このオーバーフロー口２ｂは、上記目的のため、排水部２に形成した孔２ａよりも上方に設けられており、その直径ｄ４は、排水部２の直径ｄ３と略等しい１０〜６０ｍｍ、開口面積は０．７〜３０ｃｍ２程度となるように形成されている。このオーバーフロー口２ｂを設けたことで、タンクＴから溢れだしそうになった雨水はオーバーフロー口２ｂから排水部２に流入し、タンクＴの外部へと排出されるので、タンクＴから雨水が溢れだしてしまう心配が少なくなる。また、排水部２はオーバーフローした雨水を排水する役割を兼ねることになるので、排水部２の横断面積を孔２ａの開口面積よりも大きくしており、排水部２に流入した雨水がスムーズにタンクＴの外部へ排出される。しかしながら、オーバーフロー口２ｂの開口面積が、流入口１ａの開口面積よりも小さい場合は、非常に強い雨が長時間降り続けば、雨水がタンクＴから溢れだしてしまうことも想定されるが、前述したように、導入管９を接続していない流入口１ａ又は導入管９を接続した流入口１ａも最終的なオーバーフロー口となるので、雨水の流入量が排出量を上回ることがなく、タンクＴから雨水が溢れだしてしまうことはない。
尚、導入管９を接続していない流入口１ａをオーバーフロー口とした場合、オーバーフローした雨水が地面に垂れ流しになってしまうので、導入管９を接続していない流入口１ａにもホース等を繋いで、そのホースを排水桝１０に接続すれば、タンクＴから雨水が溢れだすことが皆無に等しくなる。
【００２９】
尚、排水部２の上端の位置が、蓋体４とタンク本体１との境目や流入口１ａの高さよりも低い場合や、蓋体４がない雨水貯溜タンクの内部に排水部２を配設した場合などは、図６に示す排水部２０のように、排水部２の側面に新たなオーバーフロー口２ｂを設けなくても、塩化ビニル樹脂製のパイプ上端の開口をそのままオーバーフロー口２０ｂとすることができる。
また、導入管９が接続されていない流入口１ａ又は導入管９が接続されている流入口１ａのみをオーバーフロー口とし、排水部２に新たなオーバーフロー口２ｂを設けない場合は、図８に示すように、塩化ビニル樹脂製パイプの上端を閉口し、その閉口部分に孔２ａを形成した排水部２２を、タンク本体１の内部に配設することもできる。このような排水部２２は、上方から孔２ａの位置が一目でわかるため、特に孔２ａのメンテナンス性に非常に優れる。
【００３０】
上記の排水部２は、図２、図４に示すように、接続部材６と一体化されたのち、タンク本体１の内部に配設される。接続部材６は、排水部２の下端を差し込む受口６ａと、外周面に雄ネジ６ｂが形成された略Ｔ字型のソケットであって、この接続部材６の受口６ａに接着剤を塗布したのち、排水部２の下端を差し込むことで排水部２と接続部材６が一体化される。このように排水部２と接続部材６を一体化したのち、接続部材６の下端を接続口１ｄに挿入して、排水部２を時計回りに締め込むと、接続部材６の外周面に形成された雄ネジ６ｂと接続口１ｄの雌ネジ１ｆが確実に係合し、排水部２はタンク本体１の内部に配設される。また、排水部２を取り外す際は、排水部２を反時計回りに回転させるだけで簡単に取り外すことができるので、タンク本体１の内部の清掃や、排水部２（パイプ内）のゴミ掃除、孔２ａ及びオーバーフロー口２ｂのメンテナンスを簡単に行うことができる。仮に、雨水貯溜部１Ａに雨水が貯溜されたままの状態であっても、排水部２は下方から上方向へ立ち上がるように配設されているため排水部２の上部は貯溜された雨水の水面から突出しているので、前述した取り外し方法により容易に排水部２を取り外すことができ、さらに排水部２を取り外した後は貯溜されていた雨水が接続口１ｄから自然と排出されることになるので、タンク本体１の内部の清掃が容易となる。
尚、上記のように接続部材６を用いなくても、排水部２の下端の外周面に雄ネジを形成して排水部２を直接接続口１ｄと連結してもよいし、あるいは、接続口１ｄから雨水が漏れることがないようにシールを設け、排水部２をタンク底部から少しだけつき出して形成し、タンク底部の直ぐ外側でユニオン等の配管接続具を用いてタンク本体１の内部に配設された排水部２とタンク本体１の外部に配設された排水部３を連結してもよい。また、接続口１ｄはタンク底部ではなくタンク本体１の側面下部に設けてもよい。
【００３１】
上記排水部２と連結されてタンク本体１の内部に貯溜された雨水を外部へと導くための排水部３は、上記排水部２と同じ塩化ビニル樹脂製のパイプで、図２に示すように、地面近傍で略９０°折り曲げられて略Ｌ字型に形成されている。そして、基台部５の側面に形成された切欠部５ｂから外部へと配設されて、その下流側先端は、排水桝１０の蓋体の上に載置されている。この基台部５は、上記タンク本体１を載置するためのもので、上面には上記タンク本体１の下方へ突出した接続口１ｄを挿通する挿通孔５ａが穿孔されている。そして、側面はアーチ状に切り欠かれて、上記のように、タンク本体１の外部に配設された排水部３を通す切欠部５ｂが形成されている。この切欠部５ｂは、排水桝１０がタンクＴの左側に位置する場合（本実施形態）でも右側に位置する場合にも対応できるように、側面２ヶ所にそれぞれ形成されている。
尚、排水部３の上記下流側先端は再び竪樋に接続してもよく、その場合は竪樋に導入管９が接続された箇所よりも下方に接続するとよい。
【００３２】
一方、上記タンク本体１の天面を覆う蓋体４は、図２に示すように、断面が凹型のもので、この蓋体４で開口部１ｃが形成されたタンク本体１の天面を覆うと、蓋体４を取り外すだけで、タンク本体１の内部の清掃や、排水部２を取り外して孔２ａやオーバーフロー口２ｂの清掃、点検を行うことができるのでメンテナンス性が飛躍的に向上する。
尚、この蓋体４の内側に、上記排水部２を挿入して保持するための保持孔を設けて、その保持孔によって排水部２を保持させることも可能である。
【００３３】
上記部材から構成される本発明のタンクＴは、小さいとどこにでも設置できるという利点はあるが、余りに小さいと有効利用のための雨水の貯溜量及び流出抑制の効果が薄くなってしまう。一方、大きいと有効利用のための雨水の貯溜量及び流出抑制の効果は大きいが、大きすぎると持ち運びや設置するスペースの確保が難しくなるので、タンク本体１の容量が５０〜４００リットル程度のものが好適に用いられる。また、タンクＴの材質については特に限定されるものではないが、軽量且つ丈夫なポリエチレン製のものが好適に用いられる。
【００３４】
以上のような構成のタンクＴは、図３に示すように、家屋（不図示）に配設された堅樋８の近傍に設置される。この堅樋８の経路途中には集水器７が設置されており、その集水器７で集水された雨水が、導入管９へと導かれて流入口１ａよりタンク本体１の内部に流入するようになっている。堅樋８の経路途中に設置される集水器７は、堅樋８を流下してきた雨水を効率よく集水できるのであればどのようなものでも構わず、本実施形態の集水器７は図示はしないが、その内部周面に、流下してきた雨水を集水するための環状の溝部が形成されたものが用いられている。また、集水器７とタンクＴとを繋ぐ導入管９は、ホースバンド９ａによって集水器７とタンクＴの流入口１ａに確実に接続されている。
尚、集水器７で集水されなかった雨水は、堅樋８の下端に接続された継手１２を介して雨水排水本管１１に流入するようになっている。
【００３５】
上記のようなタンクＴが設置された宅地内において、家屋の屋根（不図示）に降った雨水は堅樋８を流下し、その経路途中に設置された集水器７で集水されて導入管９を経てタンク本体１の内部へと流入する。そして、雨水貯溜空間１Ａと雨水一時貯溜空間１Ｂとの境目の高さを超えた雨水は、雨水一時貯溜空間１Ｂに一時的に貯溜されながら孔２ａより徐々に排水部２に流入し、タンク本体１の外部に配設された排水部３の先端より排水桝１０に流入して、雨水排水本管１１へと排出される。
【００３６】
以上の説明から明らかなように、本発明のタンクＴは、タンク本体１の内部に配設された排水部２に、雨水の流入口１ａよりも開口面積が小さい孔２ａを形成することで、有効利用のための雨水を貯溜する雨水貯溜空間１Ａと雨水の流出を抑制するために雨水を一時的に貯溜する雨水一時貯溜空間１Ｂが形成されるので、雨水を有効利用できると共に下水道施設や河川への負荷を低減することができる。従って、１つのタンクＴで、雨水の貯溜と流出を抑制することができ、従来の住宅用雨水貯溜及び流出抑制装置のように、設置スペースを選ぶことはなく、費用を抑えることもできる。また、簡単に排水部２を取り外しできるので、メンテナンス性にも優れる、といった顕著な効果を奏する。
【図面の簡単な説明】
【００３７】
【図１】本発明の一実施形態に係る雨水貯溜及び流出抑制のためのタンクの分解斜視図である。
【図２】同タンクの断面図である。
【図３】同タンクを設置した状態を示す概略正面図である。
【図４】同タンクの構成部材である排水部の接続状態を示す部分断面図である。
【図５】同タンクの排水部を示す概略斜視図である。
【図６】本発明の他の実施形態に係る雨水貯溜及び流出抑制のためのタンクの構成部材である排水部を示す概略斜視図である。
【図７】本発明の更に他の実施形態に係る雨水貯溜及び流出抑制のためのタンクの構成部材である排水部を示す概略斜視図である。
【図８】本発明の更に他の実施形態に係る雨水貯溜及び流出抑制のためのタンクの構成部材である排水部を示す概略斜視図である。
【符号の説明】
【００３８】
Ｔ    雨水貯溜及び流出抑制のためのタンク
１    タンク本体
１Ａ  雨水貯溜空間
１Ｂ  雨水一時貯溜空間
１ａ  流入口
１ｂ  保持部（保持孔）
１ｃ  開口部
１ｄ  接続口
１ｅ  蛇口
１ｆ  雌ネジ
２，２０，２１  内部に配設された排水部
２ａ  孔
２ｂ，２０ｂ  オーバーフロー口
２ｃ  止水栓
３    外部に配設された排水部
４    蓋体
５    基台部
５ａ  挿通孔
５ｂ  切欠部
６    接続部材
６ａ  受口
６ｂ  雄ネジ
７    集水器
８    堅樋
９    導入管
１０  排水桝
１１  雨水排水本管
１２  継手
【図１】
2010156164.tif 000003
【図２】
2010156164.tif 000004
【図３】
2010156164.tif 000005
【図４】
2010156164.tif 000006
【図５】
2010156164.tif 000007
【図６】
2010156164.tif 000008
【図７】
2010156164.tif 000009
【図８】
2010156164.tif 000010